(57)【要約】【課題】スピニングリールのスプール支持構造において、保持部材のがたつきを防止する。【解決手段】スプール内周部の内側に装着された軸受部は筒状の保持部材７０を介してスプール軸１５の非円形部１５ｂに回転自在に装着されている。保持部材７０は、内周が非円形部１５ｂに回転不能に装着される保持部７１と、保持部７１の外周に設けられ前側面がスプール内周部に押圧される押圧部７２と、内周断面が円形に形成され非円形部１５ｂとの間に断面が略弓形に形成された２箇所の隙間７４をあけて装着される円形部７３とを有している。円形部７３と非円形部１５ｂとの間に隙間７４には、保持部材７０の前方から保持部材７０のがたつきを抑えるがたつき防止部材８０が装着されている。【選択図】      図５
2005000103.tif 000002
【特許請求の範囲】
【請求項１】
リール本体に対して前後移動自在に設けられ少なくとも前端側の断面が非円形に形成された非円形部を有するスプール軸にスプールを回転可能に装着するためのスピニングリールのスプール支持構造であって、
前記スプールの内周部に配置され、前記スプールを回転可能に支持する軸受部と、
前記非円形部の後端に後方への移動が規制された状態で装着されたスプール受け部と、
前記軸受部が外周側に配置される保持部と、前記スプールの内周側により後方に押圧される押圧部と、内周断面が円形に形成され前記非円形部との間に隙間をあけて装着される円形部とを有し、前記スプール受け部により後方への移動が規制される保持部材と、
前記保持部材を前記スプール軸に回転不能に固定する固定手段と、
前記隙間に前方から装着され、前記保持部材のがたつきを抑えるがたつき防止部材と、
を備えたスピニングリールのスプール支持構造。
【請求項２】
前記保持部は、前記押圧部の前側に設けられた第１保持部と、前記押圧部の後側に設けられた第２保持部とを有しており、
前記軸受部は、前記第１保持部に配置された第１軸受と、前記第２保持部に配置された第２軸受とを有している、請求項１に記載のスピニングリールのスプール支持構造。
【請求項３】
前記固定手段は、前記円形部及び前記非円形部に挿通されるピン部材である、請求項１又は２に記載のスピニングリールのスプール支持構造。
【請求項４】
前記非円形部は、外周断面が略長円形に形成されており、
前記隙間は、断面が略弓形に形成されている、請求項１から３のいずれかに記載のスピニングリールのスプール支持構造。
【請求項５】
前記がたつき防止部材は、前記保持部材の前側に配置される大径の頭部と、断面が略弓形に形成され前記隙間に装着される１つ又は複数の装着部とを有している、請求項４に記載のスピニングリールのスプール支持構造。
【請求項６】
前記頭部は、外形断面が略弓形に形成された板状部材であり、前記１つの装着部と一体的に形成されている、請求項５に記載のスピニングリールのスプール支持構造。
【請求項７】
前記頭部は、外形断面が略円形に形成された環状部材であり、前記複数の装着部と一体的に形成されている、請求項５に記載のスピニングリールのスプール支持構造。
【請求項８】
前記非円形部は、外周の一部が凹んで形成された係止溝を有しており、
前記がたつき防止部材は、内周側に設けられ、前記係止溝に係止されて前記スプール軸に対して抜け止めされる係止突起を有している、請求項１から７のいずれかに記載のスピニングリールのスプール支持構造。
【発明の詳細な説明】
【０００１】
【発明の属する技術分野】
本発明は、スピニングリールのスプール支持構造、特に、リール本体に対して前後移動自在なスプール軸にスプールを回転可能に装着するためのスピニングリールのスプール支持構造に関する。
【０００２】
【従来の技術】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられ内周にスプール軸が装着される糸巻胴部と、糸巻胴部の後端部に設けられた大径筒状のスカート部とを備えている。糸巻胴部の後端部には、スプール軸に移動不能に装着され、スプールの後方への移動を規制する環状部材が配置されている。環状部材の内周側には、略長円形の非円形の貫通孔が形成されており、断面が非円形に形成されたスプール軸の前端部に回転不能に装着されている。また、フロントドラグ型のスピニングリールでは、糸巻胴部の内部には、複数のドラグ板からなるドラグ機構等を有している。
【０００３】
このようなスプールは、たとえばボールベアリング等の軸受によりスプール軸に回転自在に装着されている（たとえば、特許文献１参照）。この種の軸受は、糸巻胴部の内周に配置され、スプール軸の外周に回転不能に装着され内周が円形に形成された孔部を有する筒状の保持部材に保持されている。保持部材は、後端部が環状部材に当接しており、糸巻胴部により後方に押圧されている。また、保持部材にはスプール軸と交差する貫通孔が形成され、スプール軸には貫通孔に連通する雌ねじが形成されている。これらの貫通孔及び雌ねじに六角穴付き止めねじ等のピン部材を挿通螺合させることにより、保持部材をスプール軸に回転不能に固定している。ここでは、保持部材の後端部を環状部材に当接させることにより、スプールの後方への移動を規制しているので、ドラグ機構を作動してドラグ板を後方に押圧できる。
【０００４】
【特許文献１】
特開２００２−２０４６４０号公報
【０００５】
【発明が解決しようとする課題】
前記従来のスピニングリールでは、たとえば実釣時に魚等との駆け引きを楽しむために、ドラグ機構を緩めて釣りを行うことがある。このようにドラグ機構を緩めると、後方に押圧されていたドラグ板の押圧力が小さくなる。ドラグ板の押圧力が小さくなると、糸巻胴部が保持部材を後方に押圧する力が小さくなる。すると、ここでは保持部材に形成された円形の孔部に断面が非円形のスプール軸が貫通しているので、保持部材とスプール軸との間の略弓形の隙間により、がたつきが生じるおそれがある。保持部材ががたつくと、スプールの滑らかな前後移動に支障をきたすおそれが生じる。
【０００６】
本発明の課題は、スピニングリールのスプール支持構造において、保持部材のがたつきを防止することにある。
【０００７】
【課題を解決するための手段】
発明１に係るスピニングリールのスプール支持構造は、リール本体に対して前後移動自在に設けられ少なくとも前端側の断面が非円形に形成された非円形部を有するスプール軸にスプールを回転可能に装着するためのスピニングリールのスプール支持構造であって、スプールの内周部に配置されスプールを回転可能に支持する軸受部と、非円形部の後端に後方への移動が規制された状態で装着されたスプール受け部と、軸受部が外周側に配置される保持部とスプールの内周側により後方に押圧される押圧部と内周断面が円形に形成され非円形部との間に隙間をあけて装着される円形部とを有しスプール受け部により後方への移動が規制される保持部材と、保持部材をスプール軸に回転不能に固定する固定手段と、隙間に前方から装着され保持部材のがたつきを抑えるがたつき防止部材とを備えている。
【０００８】
このスプール支持構造では、保持部材の円形部とスプール軸の非円形部との間に隙間に、たとえば断面が隙間の形状に合致するようながたつき防止部材を装着することにより隙間を減少できるので、保持部材のがたつきを防止することができる。
発明２に係るスプール支持構造は、発明１のスプール支持構造において、保持部は、押圧部の前側に設けられた第１保持部と、押圧部の後側に設けられた第２保持部とを有している。軸受部は、第１保持部に配置された第１軸受と、第２保持部に配置された第２軸受とを有している。この場合、第１軸受及び第２軸受の２つの軸受を設けることにより、スプールのスプール軸に対する回転を滑らかにできる。
【０００９】
発明３に係るスプール支持構造は、発明１又は２のスプール支持構造において、固定手段は、円形部及び非円形部に挿通されるピン部材である。この場合、たとえば円形部及び非円形部にそれぞれ貫通孔及び雌ねじを形成し、六角穴付き止めねじ等の外周に雄ねじが形成されたピン部材を挿通螺合させることにより、容易な構成で確実に保持部材をスプール軸に固定できる。
【００１０】
発明４に係るスプール支持構造は、発明１から３のいずれかのスプール支持構造において、非円形部は、外周断面が略長円形に形成されている。隙間は、断面が略弓形に形成されている。この場合、非円形部は、たとえば円柱部材の両側面を切り欠いた略長円形に形成されているので、非円形部と円形部との間の隙間は略弓形に２箇所形成される。
【００１１】
発明５に係るスプール支持構造は、発明４のスプール支持構造において、がたつき防止部材は、保持部材の前側に配置される大径の頭部と、断面が略弓形に形成され隙間に装着される１つ又は複数の装着部とを有している。この場合、非円形部と円形部との間の２箇所の隙間に合致する断面形状の装着部を装着することにより、がたつきを容易に防止できる。
【００１２】
発明６に係るスプール支持構造は、発明５のスプール支持構造において、頭部は、外形断面が略弓形に形成された板状部材であり、１つの装着部と一体的に形成されている。この場合、１つの装着部を有する２つのがたつき防止部材をそれぞれの隙間に装着できる。
発明７に係るスプール支持構造は、発明５のスプール支持構造において、頭部は、外形断面が略円形に形成された環状部材であり、前記複数の装着部と一体的に形成されている。この場合、たとえば２つの装着部を有する１つのがたつき防止部材を隙間に装着できる。
【００１３】
発明８に係るスプール支持構造は、発明１から７のいずれかのスプール支持構造において、非円形部は、外周の一部が凹んで形成された係止溝を有している。がたつき防止部材は、内周側に設けられ、係止溝に係止されてスプール軸に対して抜け止めされる係止突起を有している。この場合、係止溝に係止突起を係止することにより、がたつき防止部材を抜け止めできる。
【００１４】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１５】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１６】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００１７】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１８】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
第１ロータアーム３１の先端の外周側には、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００１９】
ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２０】
ロータ３の円筒部３０の内部にはロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２１】
スプール４は、図２に示すように、ロータ３の第１ロータアーム３１と第２ロータアーム３２との間に配置されており、スプール軸１５の先端にドラグ機構６０を介して装着されている。スプール４は、図３に示すように、外周に釣り糸が巻かれる大小２段の円筒状のスプール本体７と、スプール本体７の前端に装着された大径のフランジ部８と、フランジ部８をスプール本体７に固定するためのフランジ固定部材９とを有している。
【００２２】
スプール本体７は、図３に示すように、たとえばアルミニウム合金を絞り加工等のプレス加工して得られた大小２段の円筒状の部材であり、第１軸受５６及び第２軸受５７によりスプール軸１５に回転自在に装着されている。スプール本体７は、外周に釣り糸が巻かれる筒状の糸巻胴部７ａと、糸巻胴部７ａの後部に一体で形成された大径筒状のスカート部７ｂとを有している。
【００２３】
糸巻胴部７ａは、図３に示すように、金属薄板により筒状に形成された筒状部１６と、筒状部１６の内周側に別体で接着された合成樹脂製の円筒部１７と、円筒部１７の後端側に円筒部１７と一体成形された環状の内周部１８とを有している。円筒部１７の内周面には、図３に示すように、フランジ固定部材９を装着するための雌ねじ部１７ａが形成されている。内周部１８の内側には第１軸受５６及び第２軸受５７からなる軸受部５５が装着されており、軸受部５５は筒状の保持部材７０を介してスプール軸１５に回転自在に装着されている。保持部材７０の後端部には、後方への移動が規制されて装着されたスプール受け部２０が当接している。
【００２４】
スプール受け部２０は、図４に示すように、スプール軸１５に前後移動不能に装着された金属製のリング部材である。スプール受け部２０は第２軸受５７の後端に当接している。スプール受け部２０をスプール軸１５に固定することにより、ドラグ機構６０により内周部１８が後方に押圧されても、スプール４全体を受けることができる。
【００２５】
保持部材７０は、図４及び図５に示すように、後端部がスプール受け部２０に当接し内周部１８により後方に押圧される筒状の部材である。保持部材７０は、外周に軸受部５５が保持され、内周がスプール軸１５の前端側の断面が非円形に形成された非円形部１５ｂに回転不能に装着されている。スプール軸１５の非円形部１５ｂは、外周断面が円柱部材の両側面を切り欠いた略長円形に形成されている。保持部材７０は、内周がスプール軸１５の非円形部１５ｂに回転不能に装着される保持部７１と、保持部７１の外周に設けられ前側面が内周部１８に押圧される押圧部７２と、内周断面が円形に形成され非円形部１５ｂとの間に断面が略弓形に形成された２箇所の隙間７４をあけて装着される円形部７３とを有している。保持部７１は、押圧部７２の前側に設けられ外周に第１軸受５６が配置される第１保持部７１ａと、押圧部７２の後側に設けられ外周に第２軸受５７が配置される第２保持部７１ｂとを有している。
【００２６】
保持部材７０は、第１保持部７１ａに形成された貫通孔７１ｃを貫通し、スプール軸１５に形成された雌ねじ１５ａに螺合する六角穴付き止めねじ等の固定手段の一例であるピン部材７５によりスプール軸１５の非円形部１５ｂに回転不能に固定されている。また、ピン部材７５が装着された第１保持部７１ａには、押圧部７２の前側面と内周部１８との間には、３枚の間座部材７６が装着されている。また、保持部材７０の円形部７３とスプール軸１５の非円形部１５ｂとの間に隙間７４には、保持部材７０の前方から保持部材７０のがたつきを抑えるがたつき防止部材８０が装着されている。
【００２７】
がたつき防止部材８０は、図５から図８に示すように、保持部材７０の前側に配置される大径の頭部８０ａと、隙間７４に装着される２つの装着部８０ｂとを有している。頭部８０ａは、外形断面が略円形に形成された環状部材であり、断面が長円形の凹部８０ｃを有している。２つの装着部８０ｂは、互いに向き合うように頭部８０ａと一体成形され、断面が隙間７４に合致するように略弓形に形成されている。また、凹部８０ｃの内周側には、互いに対向する位置に突出した２つの係止突起８０ｄが形成されている。係止突起８０ｄは、スプール軸１５の非円形部１５ｂに外周の一部が凹んで形成された係止溝１５ｃにそれぞれ係止され、これによりがたつき防止部材８０が抜け止めされる。
【００２８】
スカート部７ｂは、図２及び図３に示すように、ロータ３の円筒部３０を覆うように筒状に糸巻胴部７ａと一体成形されている。スカート部７ｂは、アルミニウム合金を絞り加工して得られた金属薄板により形成されている。
フランジ部８は、図３に示すように、外周に行くほど前方に傾斜するように形成された金属製又は硬質セラミック製の傷つきにくい円板状の部材である。フランジ部８は、糸巻胴部７ａの雌ねじ部１７ａに螺合するフランジ固定部材９により、糸巻胴部７ａとの間に挟持されて固定されている。
【００２９】
フランジ固定部材９は、図３に示すように、糸巻胴部７ａの雌ねじ部１７ａに螺合する筒状の雄ねじ部９ａと、雄ねじ部９ａの内周側に一体で形成されドラグ機構６０の後述する複数のドラグ板６２を収納可能な空間を内部に有する筒状のドラグ収納部９ｂと、雄ねじ部９ａの先端にフランジ部８に当接可能に設けられた当接部９ｃとを有している。
【００３０】
ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２とを有している。
次にリールの操作及び動作について説明する。
【００３１】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により釣り糸巻き取り位置に復帰しロータ３の逆転が禁止されているので釣り糸の放出が止まる。
【００３２】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
このようなスプール４では、保持部材７０の円形部７３とスプール軸１５の非円形部１５ｂとの間に隙間７４に、断面が隙間７４の形状に合致する装着部８０ｂを有するがたつき防止部材８０を装着することにより隙間７４を減少でき、保持部材７０のがたつきを防止することができる。
【００３３】
〔他の実施形態〕
（ａ）  前記実施形態では浅溝スプールを用いていたが、これに限定されるものではなく、他のあらゆるスピニングリールのスプールについて本発明を適用できる。
（ｂ）  前記実施形態では、２つの第１軸受５６及び第２軸受５７を用いたが、これに限定されるものではなく、たとえば１つの軸受のみ用いる構成にしてもよい。
【００３４】
（ｃ）  前記実施形態では、保持部材７０は、六角穴付き止めねじ等のピン部材７５により固定されていたが、保持部材７０のスプール軸１５に対する固定方法はこれに限定されない。
（ｄ）  前記実施形態では、スプール受け部２０は金属製のリング部材であったが、たとえば周囲に凹凸部を形成しスプール４の回転により凹凸部に当接する発音機構をさらに備える構成にしてもよい。
【００３５】
（ｅ）  前記実施形態では、２つの装着部８０ｂを有する１つのがたつき防止部材８０を隙間７４に装着していたが、図９に示すように、１つの装着部８０ｂを有する２つの第１がたつき防止部材８１及び第２がたつき防止部材８２をそれぞれ隙間７４に装着してもよい。なお、第１がたつき防止部材８１及び第２がたつき防止部材８２の頭部８０ａは、互いに鏡像となる略弓形状に形成されており、装着部８０ｂを隙間７４に装着したとき保持部材７０の前端に当接するようになっている。
【００３６】
【発明の効果】
本発明によれば、スピニングリールのスプール支持構造において、保持部材の円形部とスプール軸の非円形部との間に隙間にがたつき防止部材を装着することにより隙間を減少できるので、保持部材のがたつきを防止することができる。
【図面の簡単な説明】
【図１】本発明の一実施形態によるスピニングリールの側面図。
【図２】前記スピニングリールの側面断面図。
【図３】前記スピニングリールのスプールの拡大断面図。
【図４】前記スプールの支持部分の側面拡大図。
【図５】前記スプールの支持部分の分解斜視図。
【図６】がたつき防止部材の側面断面図。
【図７】前記がたつき防止部材の平面図。
【図８】前記がたつき防止部材の正面図。
【図９】他の実施形態の図５に相当する図。
【符号の説明】
２  リール本体
４  スプール
７ａ  糸巻胴部
１５  スプール軸
１５ｂ  非円形部
１５ｃ  係止溝
２０  スプール受け部
５５  軸受部
５６  第１軸受
５７  第２軸受
６０  ドラグ機構
７０  保持部材
７１  保持部
７１ａ  第１保持部
７１ｂ  第２保持部
７２  押圧部
７３  円形部
７５  ピン部材
７６  間座部材
８０  がたつき防止部材
８０ａ  頭部
８０ｂ  装着部
８０ｃ  孔部
８０ｄ  係止突起
８１  第１がたつき防止部材
８２  第２がたつき防止部材
【図１】
2005000103.tif 000003
【図２】
2005000103.tif 000004
【図３】
2005000103.tif 000005
【図４】
2005000103.tif 000006
【図５】
2005000103.tif 000007
【図６】
2005000103.tif 000008
【図７】
2005000103.tif 000009
【図８】
2005000103.tif 000010
【図９】
2005000103.tif 000011